(57)【要約】【課題】卓上型電話機において、倒伏状態と起立状態の間で角度変更可能な表示部をロックするロック機構を廃除する。【解決手段】卓上型電話機１は、本体１０と表示部２０を備えている。本体１０と表示部２０の間にはヒンジ３０を備える。ヒンジ３０は、本体１０と表示部２０とを、その表示部２０を倒伏状態と起立状態の間で角度変更可能に結合する。このヒンジ３０を回転させるとき、その回転方向によって異なるトルクを必要とする。表示部２０を倒伏方向に角度変更するときには、表示部２０の機能ボタン２２を押したときに発生するモーメントよりも大きいトルクを、起立方向に角度変更するときには、倒伏方向に角度変更するときよりも小さいトルクを必要とする。【選択図】　　　図１
2004056644.tif 000002
【特許請求の範囲】
【請求項１】
本体と、倒伏状態と起立状態の間で角度変更可能な表示部とを備えた卓上型電話機において、
前記表示部を任意の角度で保持可能であるとともに、前記表示部を倒伏方向に角度変更するときには、起立方向に角度変更するときよりも高いトルクを必要とすることを特徴とする卓上型電話機。
【請求項２】
本体と、倒伏状態と起立状態の間で角度変更可能な表示部とを備えた卓上型電話機において、
前記表示部を倒伏方向に角度変更するときには、前記表示部上の機能ボタンを押したときに発生するモーメントよりも大きいトルクで、また、起立方向に角度変更するときには、倒伏方向に角度変更するときよりも小さいトルクで角度変更操作が可能なことを特徴とする卓上型電話機。
【請求項３】
請求項１又は請求項２に記載された卓上型電話機であって、　　前記本体と前記表示部とを結合するヒンジを備え、このヒンジに、回転する方向によって異なる抵抗が発生するために、表示部を角度変更するときに前記トルク変化を生じさせることが可能なことを特徴とする卓上型電話機。
【発明の詳細な説明】
【０００１】
【発明の属する技術分野】
本発明は卓上型電話機に関する。
【０００２】
【従来の技術】
卓上型電話機には、着信及び発信の現状や履歴、電話帳、現在時刻等を表示する表示部が備わったものがある。その表示部は、電話機本体に埋め込まれていて角度変更できないものや、倒伏状態と起立状態の間で角度変更可能なものがある。後者は、使用者が表示の視認性を調節するために角度変更を可能としたもので、使用者自身が手で表示部の角度を任意に変更する。
【０００３】
表示部を倒伏状態と起立状態の間で角度変更可能なものについては、卓上に置いて使用する場合、表示部を倒伏状態で使用するよりも、起立状態で使用したほうが表示の視認性が高いと考えられる。そこで、起立状態で表示部をロックするためのロック機構を備えているものもある。ロック機構を備えることにより、使用者の意図に反して表示部が倒伏方向へと自由に倒れることを防止する。表示部を倒伏方向へと角度変更したいときには、使用者はロック解除ボタンを押すなどしてロックを解除する。
【０００４】
【発明が解決しようとする課題】
しかしながら、上記のような卓上型電話機で、倒伏状態と起立状態の間で角度変更可能な表示部をロックするロック機構を備えているものにおいては、表示部のロック解除操作部材が卓上型電話機の商品としてのデザインを損なう要因となった。また、ロック解除操作部材の操作は使用者の手間となる場合があった。
【０００５】
また、表示部のロック動作及び／又はロック解除動作に伴い異音が発生して使用感が悪く、商品価値を下げているという欠点があった。
【０００６】
本発明は上記の点に鑑みなされたものであり、倒伏状態と起立状態の間で角度変更可能な表示部を備えた卓上型電話機において、卓上型電話機のデザインを損なうことがないようにし、使用者が表示部のロック解除ボタンを押すなどの操作を行う手間を省き、表示部のロック動作及び／又はロック解除動作に伴い発生する異音をなくすことを目的とする。また、使用者が表示部上の操作部を押すなどによって、倒伏方向に容易に角度変更がなされないことを目的とする。
【０００７】
【課題を解決するための手段】
上記の課題を解決するため、本発明では、本体と、倒伏状態と起立状態の間で角度変更可能な表示部とを備えた卓上型電話機において、前記表示部を任意の角度で保持可能であるとともに、前記表示部を倒伏方向に角度変更するときには、起立方向に角度変更するときよりも高いトルクを必要とすることを特徴とする。
【０００８】
この構成によれば、前記表示部が起立状態から倒伏方向に容易に角度変更がなされることがなくなり、表示部を起立状態でロックするロック機構を廃除することが可能となる。
【０００９】
本発明では、本体と、倒伏状態と起立状態の間で角度変更可能な表示部とを備えた卓上型電話機において、前記表示部を倒伏方向に角度変更するときには、前記表示部上の機能ボタンを押したときに発生するモーメントよりも大きいトルクで、また、起立方向に角度変更するときには、倒伏方向に角度変更するときよりも小さいトルクで角度変更操作が可能なことを特徴とする。
【００１０】
この構成によれば、使用者が表示部上の操作部を押すなどによって、表示部が起立状態から倒伏方向に容易に角度変更がなされることがなくなり、表示部を起立状態でロックするロック機構を廃除することが可能となる。
【００１１】
上記構成の卓上型電話機において、前記本体と前記表示部とを結合するヒンジを備え、このヒンジに、回転する方向によって異なる抵抗が発生するために、表示部を角度変更するときに前記トルク変化を生じさせることが可能なことを特徴とする。
【００１２】
この構成によれば、表示部の角度変更をするときに、トルクを必要とする機構をヒンジとは別に新たに備える必要がなくなり、部品点数の削減が可能となる。
【００１３】
【発明の実施の形態】
以下、本発明の一実施形態を図に基づき説明する。
【００１４】
図１に本発明の卓上型電話機の正面図を、図２にその側面図を示す。図１及び図２において、卓上型電話機１は、本体１０と表示部２０を備えている。本体１０には、電話をかけるための番号ボタン１１や留守番電話機能等に使用する機能ボタン１２が備えられている。そして、ケーブルで接続した、又は無線で接続された受話器（図示せず）が備えられている。
【００１５】
表示部２０には、着信及び発信の現状や履歴、電話帳、現在時刻等を表示する液晶表示画面２１や機能ボタン２２が備えられている。そして、本体１０と表示部２０の間をヒンジ３０で結合する。
【００１６】
図３に卓上型電話機本体と表示部を結合するヒンジの正面図を、図４にその側面図を示す。図３及び図４において、ヒンジ３０は、本体側ブラケット３１と表示部側ブラケット３２、シャフト３３からなる。シャフト３３は表示部側ブラケット３２に固定されている。図４において、表示部側ブラケット３２とシャフト３３が、本体側ブラケット３１に対してシャフト３３の軸線を中心に回転する。
【００１７】
図２において、ヒンジ３０の回転方向Ａは表示部２０の起立方向への角度変更を示し、回転方向Ｂは表示部の倒伏方向への角度変更を示す。表示部２０を、起立方向Ａに角度変更するときには、倒伏方向Ｂに角度変更するときよりも小さいトルクで、倒伏方向Ｂに角度変更するときには、表示部２０の機能ボタン２２を押したときに発生するモーメントよりも大きいトルクで角度変更操作が可能である。これにより、表示部２０が起立状態から倒伏方向に容易に角度変更がなされることがなく、表示部２０を起立状態でロックするロック機構を廃除することが可能となる。
【００１８】
図５に、図４のヒンジ３０を反対側から見たときの側面図を示す。ヒンジ３０の本体側ブラケット３１は板バネ材料で作製されており、この本体側ブラケット３１とシャフト３３の間で発生する摩擦による抵抗がその回転方向によって変化する。図６は、図５のシャフト３３の近傍を拡大した図であり、シャフト３３に本体側ブラケット３１が巻き付いた状態になっている。シャフト３３をＡ方向に回転させるときは、本体側ブラケット３１の巻き付きが緩み、Ｂ方向に回転させるときは、本体側ブラケット３１の巻き付きが締まる。その結果、表示部２０をＢ方向（倒伏方向）に角度変更するときには、Ａ方向（起立方向）に角度変更するときよりも大きいトルクを必要とする。
【００１９】
表示部２０を倒伏方向へと角度変更するときと、起立方向へと角度変更するときに必要なトルクの一例を、図７のグラフに示す。表示部２０を倒伏方向へと角度変更するときに必要なトルクは約４０ｋｇｆ・ｍｍであり、機能ボタンの操作によって生じるトルクは約１０ｋｇｆ・ｍｍであり、表示部２０の機能ボタン２２をその操作の為に押すことによって、起立状態から倒伏方向に容易に角度変更がなされることがない。また、表示部２０を起立方向へと角度変更するときに必要なトルクは約２５ｋｇｆ・ｍｍである。この値は、使用者が角度変更するときの使用感によって実験的に決定した。
【００２０】
上記のように本発明の一実施形態を示したが、この他、発明の主旨を逸脱しない範囲で種々の変更を加えて実施することができる。
【００２１】
尚、上記のような卓上型電話機において、起立方向に角度変更するときには、倒伏方向に角度変更するときよりも小さいトルクで角度変更操作が可能なこととする技術は、ロック機構を備えたものにも適用が可能である。例えば、ロック部材が斜面に沿って凹部より離脱することでロック解除をするロック機構では、起立方向へ角度変更するときと、倒伏方向へ角度変更するときの、ロック部材が沿う斜面の角度を変えることにより、ロック解除のトルクを変えることが可能である。
【００２２】
【発明の効果】
本発明の上記構成によれば、本体と、倒伏状態と起立状態の間で角度変更可能な表示部とを備えた卓上型電話機において、前記表示部を倒伏方向に角度変更するときには、前記表示部上の機能ボタンを押したときに発生するモーメントよりも大きいトルクで、また、起立方向に角度変更するときには、倒伏方向に角度変更するときよりも小さいトルクで角度変更操作が可能であるとしたので、表示部が起立状態から倒伏方向に容易に角度変更がなされることがなく、表示部を起立状態でロックするロック機構を廃除することが可能となる。その結果、卓上型電話機のデザインを損なうこともなく、使用者が表示部のロック解除ボタンを押すなどの操作を行う手間を省くことが可能となる。そして、表示部のロック動作及び／又はロック解除動作に伴い発生する異音をなくすことが可能となる。また、使用者が表示部上の操作部を押すなどによって、倒伏方向に容易に角度変更がなされることがない。
【００２３】
また、上記構成の卓上型電話機において、前記本体と前記表示部とを結合するヒンジを備え、このヒンジに、回転する方向によって異なる抵抗が発生するために、表示部を角度変更するときに前記トルク変化を生じさせることが可能であることとしたので、表示部の角度変更をするときに、トルクを必要とする機構をヒンジとは別に新たに備える必要がない。その結果、部品点数の削減によるコストダウンや構造の簡素化が可能となる。また、生産時において作業工程の削減が可能となる。
【図面の簡単な説明】
【図１】卓上型電話機の正面図
【図２】卓上型電話機の側面図
【図３】卓上型電話機本体と表示部を結合するヒンジの正面図
【図４】卓上型電話機本体と表示部を結合するヒンジの側面図
【図５】図４のヒンジを反対側から見たときの側面図
【図６】図５のヒンジの部分拡大図
【図７】ヒンジを回転させるときに必要なトルクを示すグラフ
【符号の説明】
１　　卓上型電話機
１０　本体
２０　表示部
３０　ヒンジ
３１　本体側ブラケット
３２　表示部側ブラケット
３３　シャフト
【図１】
2004056644.tif 000003
【図２】
2004056644.tif 000004
【図３】
2004056644.tif 000005
【図４】
2004056644.tif 000006
【図５】
2004056644.tif 000007
【図６】
2004056644.tif 000008
【図７】
2004056644.tif 000009